(57)【特許請求の範囲】
【請求項１】
断熱箱体の内部に、上から冷蔵室、冷凍室、野菜室の順に区画し、これらの各室を冷却するための冷却器と前記冷却器の下方に配置した除霜ダクトヒータと、前記冷却器により冷却された冷気を強制循環させるファン装置と、前記冷蔵室に冷気を導く冷蔵室用吐出風路と、前記冷蔵室に送られた冷気を前記冷却器に戻すために冷却器側方で垂直方向に配置した冷蔵室用戻り風路と、前記冷蔵室用戻り風路と前記冷却器とを断熱した断熱仕切りとを有し、前記除霜ダクトヒータを冷蔵室用戻り風路の開口部の投影面まで延長したことを特徴とする冷蔵庫。
【請求項２】
冷蔵室用戻り風路と冷却器室との間の断熱部を冷却器室カバーに設けたことを特徴とする請求項１記載の冷蔵庫。
【発明の詳細な説明】
【０００１】
【発明の属する技術分野】
本発明は、上から冷蔵室、冷凍室、野菜室の順に形成された冷蔵庫に関する。
【０００２】
【従来の技術】
近年、冷凍食品の需要増加に伴って、冷蔵室より冷凍室の方が使用頻度が高いこともあって冷蔵室の使い勝手から、上から冷蔵室、冷凍室、野菜室の順に形成された冷蔵庫の需要が増加している。
【０００３】
従来、上から冷蔵室、冷凍室、野菜室の順に形成された冷蔵庫の各部屋を冷却する手段としては、たとえば特開平３−２６７６７７号があげられる。
【０００４】
以下、図面を参照にしながら上述した冷蔵庫の一例について説明する。
図７、図８は従来の冷蔵庫の一例を示すもので１は断熱箱体、２は断熱箱体１内に形成された冷蔵室、３は冷凍室、４は野菜室である。冷凍室３の背部には、冷却器室５があり、この冷却器室５内には、冷却器６で冷却された冷気を送るためのファン装置７、冷却器６、除霜ヒータ２１が上から順に配設されている。ファン装置７により送風された冷気の一部は冷凍室用吐出口８を通じて直接冷凍室３内に送られ、冷凍室用戻り口９を通じて冷却器室５内に戻される。１０は冷蔵室２に冷気を送るための冷蔵室用吐出風路、１１は野菜室４に冷気を送るための冷蔵室用戻り風路、１２は野菜室４に送風した冷気を冷却器室５に戻すための野菜室用戻り風路である。しかしながら、上記の構成では、冷蔵室２を通じて野菜室４に冷気を供給するので冷蔵室用吐出風路１０の風量を相当大きくしないと、冷蔵室用戻り風路１１内での温度が高いので、夏場や設置条件等により目標温度に対して野菜室４の温度が高くなる欠点があった。
【０００５】
図９、図１０、図１１、図１２は上記の問題点を改善したもので冷蔵室用吐出風路１０を通り冷蔵室用冷気吐出口１３より冷蔵室２に送られる。冷蔵室２内に送られた冷気は冷蔵室用戻り口１４より冷蔵室用戻り風路１１を通って直接冷却器室５内に戻る。一方、野菜室４に送られる冷気は冷蔵室用吐出風路１０の途中で分岐され、冷蔵室用戻り風路１１の反対サイドに設けられた野菜室用吐出風路１５を通り、野菜室４に送られる。野菜室４に送られた冷気は、野菜室用戻り口１６より野菜室用戻り風路１２を通って冷却器室５内に戻る。また、上記の構成では、冷蔵室２からの暖湿の空気が冷蔵室用戻り風路１１内を通過するため、冷却器室５と冷蔵室用戻り風路１１との間を断熱した断熱仕切り１７、冷蔵室用戻り風路１１の外周には温度補償用ヒータ２２が配設されている。
【０００６】
【発明が解決しようとする課題】
しかしながら、上記のような構成では、冷却器室５の横に配置された冷蔵室用戻り風路１１の外周に温度補償用ヒータ２２を配設しているため、消費電力量が高くなり、またコスト高となる問題があった。
【０００７】
本発明は上記問題点に鑑み、消費電力量を抑制し低コストで冷蔵室用戻り風路の信頼性を確保できる冷蔵庫を提供することを目的とする。
【０００８】
【課題を解決するための手段】
上記目的を達成するために本発明は、断熱箱体の内部に、上から冷蔵室、冷凍室、野菜室の順に区画し、これらの各室を冷却するための冷却器と前記冷却器の下方に配置した除霜ダクトヒータと、前記冷却器により冷却された冷気を強制循環させるファン装置と、前記冷蔵室に冷気を導く冷蔵室用吐出風路と、前記冷蔵室に送られた冷気を前記冷却器に戻すために冷却器側方で垂直方向に配置した冷蔵室用戻り風路と、前記冷蔵室用戻り風路と前記冷却器とを断熱した断熱仕切りとを有し、前記除霜ダクトヒータを冷蔵室用戻り風路の開口部の投影面まで延長するものである。また冷却器室カバーに冷却器と冷蔵室用戻り風路間の断熱部を設けるものである。
【０００９】
これにより、除霜時に除霜ダクトヒータの熱で冷蔵室用戻り風路内の霜を融解し信頼性を確保でき、低コストで消費電力量の低減が得られる。また冷却器室カバーに冷却器と冷蔵室用戻り風路間の断熱部を設けることで冷却器室カバーを着脱することで除霜ダクトヒータの着脱を容易とし、サービス性の向上が得られる。
【００１０】
【発明の実施の形態】
本発明の請求項１に記載の発明は、断熱箱体の内部に、上から冷蔵室、冷凍室、野菜室の順に区画し、これらの各室を冷却するための冷却器と前記冷却器の下方に配置した除霜ダクトヒータと、前記冷却器により冷却された冷気を強制循環させるファン装置と、前記冷蔵室に冷気を導く冷蔵室用吐出風路と、前記冷蔵室に送られた冷気を前記冷却器に戻すために冷却器側方で垂直方向に配置した冷蔵室用戻り風路と、前記冷蔵室用戻り風路と前記冷却器とを断熱した断熱仕切りとを有し、前記除霜ダクトヒータを冷蔵室用戻り風路の開口部の投影面まで延長したことを特徴とする冷蔵庫であり、除霜時に除霜ダクトヒータの熱で冷蔵室用戻り風路内の霜を融解し信頼性を確保でき、低コストで消費電力量の低減が得られる作用を有する。
【００１１】
また、請求項２に記載の発明は、冷蔵室用戻り風路と冷却器室との間の断熱部を冷却器室カバーに設けたことを特徴とする請求項１記載の冷蔵庫であり、冷却器室カバーに冷却器と冷蔵室用戻り風路間の断熱部を設けることで、冷却器室カバーを着脱して、除霜ダクトヒータの着脱を容易とし、サービス性の向上が得られる作用を有する。
【００１２】
【実施例】
以下本発明の実施例について図１から図６を用いて説明する。なお説明の重複を避けるため、従来例と同一部分については同一符号を付して説明する。
【００１３】
（実施例１）
図１、図２、図３、図４において、１８は除霜ダクトヒータで冷却器６の下に配置し冷蔵室用戻り風路１１内まで配置している。
【００１４】
以上のように構成された冷蔵庫において、冷蔵庫の冷却運転時にあっては、冷蔵室２からの暖湿の空気が冷蔵室用戻り風路１１内を通過する時、冷蔵室用戻り風路１１の表面に霜が付く。除霜時、除霜ダクトヒータ１８は通電され、除霜ダクトヒータ１８の熱気で冷蔵室用戻り風路１１内の霜を融解することができ冷蔵室用戻り風路１１の信頼性を確保できる。
【００１５】
（実施例２）
図５、図６は本発明による実施例２を示すもので、１９は冷却器室カバーで冷凍室３と冷却器室５とを断熱している。冷却器室カバー１９は、冷却器６と冷蔵室用戻り風路１１間の断熱部２０を有している。
【００１６】
以上のように構成された冷蔵庫において、除霜時、除霜ダクトヒータ１８は通電され、除霜ダクトヒータ１８の熱気で冷蔵室用戻り風路１１内の霜を融解することができ冷蔵室用戻り風路１１の信頼性を確保できる。また、冷却器室カバー１９を着脱することで、除霜ダクトヒータ１８を容易に交換することができる。
【００１７】
【発明の効果】
以上のように本発明は、断熱箱体の内部に、上から冷蔵室、冷凍室、野菜室の順に区画し、これらの各室を冷却するための冷却器と前記冷却器の下方に配置した除霜ダクトヒータと、前記冷却器により冷却された冷気を強制循環させるファン装置と、前記冷蔵室に冷気を導く冷蔵室用吐出風路と、前記冷蔵室に送られた冷気を前記冷却器に戻すために冷却器側方で垂直方向に配置した冷蔵室用戻り風路と、前記冷蔵室用戻り風路と前記冷却器とを断熱した断熱仕切りとを有し、前記除霜ダクトヒータを冷蔵室用戻り風路の開口部の投影面まで延長することで、除霜時に除霜ヒータの熱で冷蔵室用戻り風路内の霜を融解することができ、冷蔵室用戻り風路の信頼性を確保でき、温度補償用ヒータが不要となるため、消費電力量を抑制できる。また、コストダウンを図ることができる。
【００１８】
また、冷却器室カバーに冷却器と冷蔵室用戻り風路間の断熱部を設けることで冷却器室カバーを着脱することで、除霜ダクトヒータを容易に交換することができ、サービス性の向上を図ることができる。
【図面の簡単な説明】
【図１】本発明の実施例１による扉を除去した状態での風路構造を示す冷蔵庫の斜視図
【図２】同冷蔵庫の断面図
【図３】同冷蔵庫の冷却器周辺の縦断面図
【図４】同冷蔵庫の冷却器周辺の横断面図
【図５】本発明の実施例２による冷蔵庫の冷却器周辺の縦断面図
【図６】同冷蔵庫の冷却器周辺の横断面図
【図７】従来の扉を除去した状態での風路構造を示す冷蔵庫の斜視図
【図８】同冷蔵庫の断面図
【図９】従来の他の例の扉を除去した状態での風路構造を示す冷蔵庫の斜視図
【図１０】同冷蔵庫の断面図
【図１１】同冷蔵庫の冷却器周辺の縦断面図
【図１２】同冷蔵庫の冷却器周辺の横断面図
【符号の説明】
１  断熱箱体
２  冷蔵室
３  冷凍室
４  野菜室
６  冷却器
７  ファン装置
１０  冷蔵室用吐出風路
１１  冷蔵室用戻り風路
１７  断熱仕切り
１８  除霜ダクトヒータ
１９  冷却器室カバー
２０  断熱部
２１  除霜ヒータ
２２  温度補償用ヒータ
【図１】
0003602248.tif 000002
【図２】
0003602248.tif 000003
【図３】
0003602248.tif 000004
【図４】
0003602248.tif 000005
【図５】
0003602248.tif 000006
【図６】
0003602248.tif 000007
【図７】
0003602248.tif 000008
【図８】
0003602248.tif 000009
【図９】
0003602248.tif 000010
【図１０】
0003602248.tif 000011
【図１１】
0003602248.tif 000012
【図１２】
0003602248.tif 000013